(57)【特許請求の範囲】
【請求項１】
複数の端子を区画して収容配列させた端子収容本体部と、この端子収容本体部に対して所定距離を置いて該端子収容本体部を取り囲む外周壁部と、この外周壁部と端子収容本体とを連結する底部とを有したコネクタハウジングと、
前記端子収容本体部と前記外周壁部との間の空隙部に設けられた位置ずれ吸収防水部材と、
前記位置ずれ吸収防水部材を介して前記空隙部に挿入される挿入脚部と、前記端子収容本体部をその内部に収容させる前面開口された収容部とを有したカバー部材とを備えており、
前記端子収容本体部を相手コネクタに嵌合させたときに、前記コネクタハウジングと前記カバー部材とが相対的に可動自在となる位置ずれ吸収間隙を、前記挿入脚部と前記外周壁部又は前記端子収容本体部との間に設けてあり、前記収容部は、外周壁面部と、この外周壁面部の内側に設けられた内周壁面部と、これら外周壁面部と内周壁面部との間に形成された挿入空隙部とを有し、この挿入空隙部に、シール部材を配置すると共に機器本体に固定された相手コネクタをその内部に収容する前面開口された機器フード部を嵌入させて、前記シール部材で前記カバー部材と前記機器フード部とをシールした
ことを特徴とするコネクタ。
【請求項２】
前記位置ずれ吸収防水部材は、前記底部に配置される底面シール部と、前記端子収容本体部又は前記外周壁部と前記挿入脚部との間に配置されて前記相手コネクタの先端部と密接する側面シール部と、この側面シール部に突設されて前記挿入脚部を付勢する突起部とからなることを特徴とする請求項１記載のコネクタ。
【請求項３】
前記位置ずれ吸収防水部材は、前記底面シール部に設けられた取付用突起部を有し、前記取付用突起部を前記底部に形成された貫通孔に挿入させて前記空隙部に配置されていることを特徴とする請求項２記載のコネクタ。
【請求項４】
前記シール部材を、前記機器フード部先端近傍に設けたことを特徴とする請求項１〜３の何れかに記載されるコネクタ。
【請求項５】
前記カバー部材に複数の前記コネクタハウジングが設けられていることを特徴とする請求項１〜４の何れかに記載されるコネクタ。
【発明の詳細な説明】
【０００１】
【発明の属する技術分野】
本発明は、コネクタに関し、詳細には相手コネクタとの位置ずれを吸収してコネクタ装着作業の効率化が図れ且つ防水性にも優れるコネクタを提供することにある。
【０００２】
【従来の技術】
例えば、複数の雌コネクタをカバーにセットし、これを相手コネクタにボルトで一括してそれぞれのコネクタを一度に嵌合させるようにした、電気コネクタユニットが特開平３−４３９７４号公報に開示されている。
【０００３】
かかる電気コネクタユニットは、図１２及び図１３に示すように、３つの第１コネクタ１０１、１０２、１０３を隔壁によって区画したそれぞれのコネクタ収容室１０４に収容配置させた第１コネクターカバー１０５と、前記各第１コネクタ１０１、１０２、１０３とそれぞれ嵌合する第２コネクタ１０６、１０７、１０８をやはり隔壁によって区画したそれぞれのコネクタ収容室１０９に収容配置させた第２コネクタカバー１１０とを有し、各第１コネクタ１０１、１０２、１０３と各第２のコネクタ１０６、１０７、１０８同士をそれぞれ嵌合させて、締付ボルト１１１にてこれら第１コネクタカバー１０５と第２コネクタカバー１１０とを締結した構成とされている。
【０００４】
第１コネクタ１０１、１０２、１０３は、図１２に示すように、コネクタハウジング１１２と、このコネクタハウジング１１２を前後より挟み込む一対の板状弾性パッキング１１３、１１３と、箱状係止部材１１４とから構成されている。この第１コネクタ１０１、１０２、１０３は、上記第１コネクタカバー１０５に形成されたそれぞれのコネクタ収容室１０４に嵌合して収容配置されるようになされている。
【０００５】
一方、第２コネクタ１０６、１０７、１０８は、図１２に示すように、一体型とされるコネクタハウジング１１５と、第２コネクタカバー１１０との間に介在される枠状弾性パッキング１１６とから構成されている。この第２コネクタ１０６、１０７、１０８は、上記第２コネクタカバー１１０に形成されたそれぞれのコネクタ収容室１０９に嵌合して収容配置されるようになされている。
【０００６】
上記構成からなる電気コネクタユニットによれば、複数の対関係にある第１コネクタ１０１、１０２、１０３と第２コネクタ１０６、１０７、１０８を、上記締結ボルト１１１の締め付け作業で一括して一度に嵌合させることができ、これらコネクタ１０１、１０２、１０３及び１０６、１０７、１０８の接続作業を容易なものとすることができる。
【０００７】
【発明が解決しようとする課題】
しかし、上記した電気コネクタユニットでは、第１コネクタ１０１、１０２、１０３がそれぞれのコネクタ収容室１０４に嵌合して収容配置され、また、第２コネクタ１０６、１０７、１０８がコネクタハウジング１１５と一体的に形成されているため、これら第１コネクタ１０１、１０２、１０３と第２コネクタ１０６、１０７、１０８との間に位置ずれがあると、これらの嵌合が行えず、却ってコネクタ接続作業が困難になる。
【０００８】
コネクタ接続作業を容易なものとするためには、これら第１コネクタ１０１、１０２、１０３及び第２コネクタ１０６、１０７、１０８の配置位置及び寸法を高精度にする必要がある。しかしそうすると、これらを構成する各構成パーツが高くなり、コスト高になってしまう。
【０００９】
そこで本発明は、上述の課題を解決するために提案されたものであり、相手コネクタとの位置ずれを吸収してコネクタ装着作業の効率化を図ると共に安価なコネクタを提供し、且つ防水性にも優れるコネクタを提供することにある。
【００１０】
【課題を解決するための手段】
上記の課題を解決するために、請求項１記載の発明に係るコネクタは、複数の端子を区画して収容配列させた端子収容本体部と、この端子収容本体部に対して所定距離を置いて該端子収容本体部を取り囲む外周壁部と、この外周壁部と端子収容本体とを連結する底部とを有したコネクタハウジングと、前記端子収容本体部と前記外周壁部との間の空隙部に設けられた位置ずれ吸収防水部材と、前記位置ずれ吸収防水部材を介して前記空隙部に挿入される挿入脚部と、前記端子収容本体部をその内部に収容させる前面開口された収容部とを有したカバー部材とを備えており、前記端子収容本体部を相手コネクタに嵌合させたときに、前記コネクタハウジングと前記カバー部材とが相対的に可動自在となる位置ずれ吸収間隙を、前記挿入脚部と前記外周壁部又は前記端子収容本体部との間に設けてあり、前記収容部は、外周壁面部と、この外周壁面部の内側に設けられた内周壁面部と、これら外周壁面部と内周壁面部との間に形成された挿入空隙部とを有し、この挿入空隙部に、シール部材を配置すると共に機器本体に固定された相手コネクタをその内部に収容する前面開口された機器フード部を嵌入させて、前記シール部材で前記カバー部材と前記機器フード部とをシールしたことを特徴とする。
【００１１】
このように、カバー部材の挿入脚部を挿入させる空隙部をコネクタハウジングに設けると共に、その空隙部に位置ずれ吸収防水部材を配置し、前記コネクタハウジングの端子収容本体部を相手コネクタに嵌合させたときに、該コネクタハウジングと前記カバー部材とが相対的に可動自在となる位置ずれ吸収間隙を、前記挿入脚部と前記外周壁部又は前記端子収容本体部との間に設けているため、例え前記コネクタハウジングと相手コネクタのコネクタハウジングとの間に位置ずれが生じていたとしても、前記コネクタハウジングと前記カバー部材とが相対的に可動して前記位置ずれを吸収し、相手コネクタとスムーズな嵌合がなされる。
このように、カバー部材の収容部に挿入空隙部を形成し、その挿入空隙部に、シール部材を配置させると共に機器本体に固定された相手コネクタをその内部に収容する前面開口された機器フード部を嵌入させて、前記シール部材によって前記カバー部材と前記機器フード部とをシールしているので、これらの間の気密状態が高まり、カバー部材からその内部に侵入する水分等が遮断される。
【００１２】
請求項２記載の発明は、請求項１に記載のコネクタにおいて、位置ずれ吸収防水部材を、前記底部に配置される底面シール部と、前記端子収容本体部又は前記外周壁部と前記挿入脚部との間に配置されて前記相手コネクタの先端部と密接する側面シール部と、この側面シール部に突設されて前記挿入脚部を付勢する突起部とから構成したことを特徴とする。
【００１３】
位置ずれ吸収防水部材は、前記底部に配置される底面シール部を有していることから、コネクタ同士の位置ずれを吸収させる機能の他、この空隙部に侵入する水分等を遮断する。また、位置ずれ吸収防水部材は、相手コネクタの先端部と密接する側面シール部を有しているので、相手コネクタに嵌合する端子収容本体部と当該相手コネクタ間より侵入する水分等を遮断する。
【００１４】
請求項３記載の発明は、請求項２記載のコネクタにおいて、前記位置ずれ吸収防水部材は、前記底面シール部に設けられた取付用突起部を有し、前記取付用突起部を前記底部に形成された貫通孔に挿入させて前記空隙部に配置されていることを特徴とする。
【００１５】
前記位置ずれ吸収防水部材は、前記底部に形成された貫通孔に、底面シール部に設けた取付用突起部を挿入させていることから、前記底部に確実に位置決めされ、前記空隙部から不用意に抜け出ることが防止される。
【００１８】
請求項４記載の発明は、請求項１〜３の何れかに記載されるコネクタにおいて、前記収容部は、外周壁面部と、この外周壁面部の内側に設けられた内周壁面部と、これら外周壁面部と内周壁面部との間に形成された挿入空隙部とを有し、その挿入空隙部に、機器本体に固定された相手コネクタをその内部に収容する前面開口された機器フード部を嵌入させ、その機器フード部先端近傍に設けられたシール部材で前記カバー部材と前記機器フード部とをシールしたことを特徴とする。
【００１９】
このように、機器フード部先端近傍に設けられたシール部材で前記カバー部材と前記機器フード部とをシールしたことにより、これらの間の気密状態が高まり、カバー部材からその内部に侵入する水分等が遮断される。
【００２０】
請求項５記載の発明は、請求項１〜４の何れかに記載されるコネクタにおいて、前記カバー部材に複数の前記コネクタハウジングが設けられていることを特徴とする。
【００２１】
このように、カバー部材に複数のコネクタハウジングが設けられていても、それぞれのコネクタハウジングが前記カバー部材に対して可動自在であるので、請求項１記載の発明と同様、前記コネクタハウジングと前記カバー部材とが相対的に可動して前記位置ずれを吸収し、相手コネクタとスムーズな嵌合がなされる。
【発明の実施の形態】
以下、本発明を適用した具体的な一実施形態について図面を参照しながら詳細に説明する。
【００２２】
本実施形態は、本発明を、機器本体に固定された雌コネクタに嵌合させる雄コネクタに適用したものであり、前記雌コネクタに前記雄コネクタを嵌合させたときに、これらコネクタ間に位置ずれがあっても、調芯機構により相手コネクタとの位置ずれを吸収してコネクタ装着作業の効率化を図ると共に防水性の向上も実現したものである。
【００２３】
＜コネクタの構成＞
本実施形態のコネクタは、９９本の雌端子をコネクタハウジングに所定間隔を置いて縦横に配列させた雄コネクタの例である。
【００２４】
かかる雄コネクタ１は、図１、図４及び図５に示すように、コネクタハウジング２と、このコネクタハウジング２に収容配列される複数の雌端子３と、位置ずれ吸収防水部材４と、コネクタハウジング２に装着されるカバー部材５とからなる。
【００２５】
『コネクタハウジングの構成』
上記コネクタハウジング２は、図２及び図４に示すように、複数の雌端子３を区画して収容配列させた端子収容本体部６と、この端子収容本体部６に対して所定距離を置いて該端子収容本体部６を取り囲む外周壁部７と、この外周壁部７と端子収容本体６とを連結する底部８とを有している。
【００２６】
上記端子収容本体部６は、図２及び図４に示すように、内部に複数の雌端子３を収容配列させるための端子収容室９を有した長方体ブロックとして形成されている。この端子収容本体部６の底面には、雌端子３に接続されるリード線１０を挿通させるためのリード線挿通孔１１が形成されている。これらリード線挿通孔１１は、雌端子３の数に対応して縦横に複数行列とされ、上記端子収容室９に連通する貫通孔として形成されている。
【００２７】
なお、上記リード線挿通孔１１に挿通されるリード線１０には、チューブ形状をなすラバーシール２６がその周囲に設けられており、このラバーシール２６毎上記リード線挿通孔１１に挿通されている。
【００２８】
上記外周壁部７は、図２及び図４に示すように、上記端子収容本体部６に対して所定距離を置いて該端子収容本体部６を取り囲むようにして形成されている。この外周壁部７は、上記端子収容本体部６の先端側部と底面側部を露出させる高さとされた外周壁として形成されている。そして、この外周壁部７は、上記端子収容本体部６の外周面から突出して形成されるフランジ状をなす底部８によって該端子収容本体部６と連結されて一体化され、上記端子収容本体部６との間に後述する位置ずれ吸収防水部材４を収容配置させる空隙部１２を形成している。
【００２９】
なお、上記外周壁部７の両側面には、カバー部材５に形成されるロック部材（図示は省略する）が係合して当該コネクタハウジング２とカバー部材５との係合をロックするためのロック係合部２４が形成されている。
【００３０】
『位置ずれ吸収防水部材の構成』
上記位置ずれ吸収防水部材４は、図２及び図６に示すように、上記空隙部１２に収容配置される得る大きさとされた矩形枠体形状として形成され、例えば弾性を有するゴム部材からなる。かかる位置ずれ吸収防水部材４は、上記底部８に配置される底面シール部１３と、上記端子収容本体部６と後述するカバー部材５の挿入脚部１４との間に配置されて相手コネクタの先端部と密接する側面シール部１５と、この側面シール部１５に突設されて上記挿入脚部１４を付勢する突起部１６と、上記底部８に形成された貫通孔１７に挿入される取付用突起部１８とからなる。
【００３１】
上記底面シール部１３は、図４に示すように、上記底部８に密着して設けられ、外周壁部７とカバー部材５の挿入脚部１４との隙間から上記空隙部１２に入る水分等を遮断するシールとして機能する。上記側面シール部１５は、図４に示すように、上記底面シール部１３に対して垂直に起立して設けられ、上記端子収容本体部６の外周面に密着してカバー部材５と相手コネクタとの間から侵入する水分等を遮断するシールとして機能する。
【００３２】
上記突起部１６は、図４及び図５に示すように、上記外周壁部７に向かって突出する突起として上記側面シール部１５に設けられている。かかる突起部１６は、上記カバー部材５の挿入脚部１４を、上記外周壁部７側へと押圧するように付勢するようになっている。この突起部１６の高さは、外周壁部７と挿入脚部１４との間に形成される位置ずれ吸収間隙１９の隙間分、コネクタハウジング２又はカバー部材５が相対的に移動しても、前記カバー部材５のラップ代が保たれた状態となり得る高さに設定されている。
【００３３】
上記取付用突起部１８は、図２及び図３に示すように、上記底部８に形成された貫通孔１７に挿入され、上記空隙部１２から上記位置ずれ吸収防水部材４が抜け出るのを防止する機能をする。この取付用突起部１８は、上記空隙部１２から挿入されて上記貫通孔１７を介してその反対側に先端部を突出させている。上記貫通孔１７は、この取付用突起部１８によってシールされる。
【００３４】
上記コネクタハウジング２の端子収容室９には、図１及び図３に示すように、スペーサ２０と、このスペーサ２０に収容される上段隔壁板２１、中断隔壁板２２及び下段隔壁板２３と、これら上段隔壁板２１、中断隔壁板２２及び下段隔壁板２３にそれぞれ配置される雌端子３とが収容されるようになっている。
【００３５】
『スペーサの構成』
上記スペーサ２０は、図３及び図４に示すように、上記端子収容室９に嵌合する形状となされた長方体として形成され、上段隔壁板２１、中断隔壁板２２及び下段隔壁板２３を収容する隔壁板収容室２５を有している。そして、このスペーサ２０の底部には、上記各雌端子３と接続されるリード線１０を挿入させる挿入孔２７が複数形成されている。
【００３６】
『上段隔壁板２１、中断隔壁板２２、下段隔壁板の構成』
上段隔壁板２１、中断隔壁板２２及び下段隔壁板２３は、図３に示すように、いずれも雌端子３を横一列に所定間隔を置いて収容配列させ、隣接する雌端子３同士を区画して絶縁性を確保するようになっている。これら上段隔壁板２１、中断隔壁板２２及び下段隔壁板２３には、それぞれの雌端子３を配置させるための端子収容部２８が長手方向に所定間隔を置いて雌端子３の数分形成されている。
【００３７】
また、これら上段隔壁板２１、中断隔壁板２２及び下段隔壁板２３には、雌端子３の接続部３ａを嵌入させて上記雌端子３を保持する接続部保持部２９が形成されている。そして、各雌端子３が収容配置された上段隔壁板２１、中断隔壁板２２及び下段隔壁板２３は、この順に重ね合わされた状態で上記スペーサ２０の隔壁板収容室２５に圧入される形で収容される。
【００３８】
『カバー部材の構成』
上記カバー部材５は、図１及び図４に示すように、上記位置ずれ吸収防水部材４を介して上記空隙部１２に挿入される挿入脚部１４と、上記端子収容本体部６をその内部に収容させる前面開口された収容部３０とからなる。上記挿入脚部１４は、長方体をなす枠体として形成されており、上記空隙部１２に挿入されるようになされている。そして、この挿入脚部１４の先端部は、図６に示すように、位置ずれ吸収防水部材４の底面シール部１３に密着する。
【００３９】
上記収容部３０は、上記コネクタハウジング２よりも大きな長方体をなす枠体として形成されている。この収容部３０は、外周壁面部３１と、この外周壁面部３１の内側に設けられた内周壁面部３２と、これら外周壁面部３１と内周壁面部３２との間に形成された挿入空隙部３３とを有している。
【００４０】
上記内周壁面部３２は、上記外周壁面部３１の内側に設けられており、当該外周壁面部３１の壁面高さより低い壁面とされている。上記外周壁面部３１と内周壁面部３２の間に形成される挿入空隙部３３の底部には、シール部材３４が設けられている。かかるシール部材３４は、カバー部材５の形状に応じた矩形状として形成され、機器本体に固定された相手コネクタをその内部に収容する前面開口された機器フード部３５を嵌入させて、当該シール部材３４で上記カバー部材５と上記機器フード部３５とをシールする機能をする。
【００４１】
『雌コネクタの構成』
上記構成の雄コネクタ１に嵌合する相手コネクタである雌コネクタ３６は、図１及び図４に示すように、機器本体（図示は省略する）の機器フード部３５内に設けられており、フード部３７と、機器本体に内蔵される電子基板３８に半田接続された基板直付け端子３９とからなる。
【００４２】
上記フード部３７は、図４に示すように、上記端子収容本体部６をその内部に嵌入させる矩形状をなす枠体として形成されており、その開口された先端側部を上記機器フード部３５より突出させている。そして、このフード部３７の底面部４０には、基板直付け端子３９の接触部４１を当該フード部３７内に突出させるための端子挿通孔４２が形成されている。
【００４３】
＜雄コネクタの雌コネクタへの取付動作＞
次に、上述のように構成された雄コネクタ１の雌コネクタ３６への取付動作について説明する。図５のようにコネクタハウジング２にカバー部材５が組み付けられた雄コネクタ１を、機器本体に固定された雌コネクタ３６に組み付けるには、該雄コネクタ１を雌コネクタ３６へと近づけて行く。すると、先ず雌コネクタ３６のフード部３７内に、上記コネクタハウジング２の端子収容本体部６の先端が挿入されて行く。
【００４４】
このとき、上記コネクタハウジング２と上記フード部３７との間に位置ずれが生じていた場合でも、上記カバー部材５と上記コネクタハウジング２とが上記位置ずれ吸収間隙１９分だけ相対的に可動自在（調芯機構）とされているため、該コネクタハウジング２と該カバー部材５とが相対的に可動して前記位置ずれを吸収し、上記端子収容本体部６が上記フード部３７に対してスムーズに嵌入されて行く。
【００４５】
そしてさらに、上記雄コネクタ１を雌コネクタ３６へと押し込んで行くと、端子収容本体部６とカバー部材５との間に形成されるフード部嵌入空隙部４３（図５参照）に、上記フード部３７が入り込む。かかるフード部３７が上記フード部嵌入空隙部４３に入り込んだ後、コネクタハウジング２に設けられた各雌端子３に該フード部３７内に設けられた基板直付け端子３９の各接触部４１がそれぞれ嵌入する。これにより、上記各雌端子３とこれと接続される基板直付け端子３９とが導通される。
【００４６】
そして、上記雄コネクタ１を雌コネクタ３６にさらに押し込んで行くと、カバー部材５の挿入空隙部３３に上記機器フード部３５が入り込んで行き、最終的に図６に示すように、フード部３７の先端が位置ずれ吸収防水部材４の側面シール部１５と密着し、且つ機器フード部３５の先端がカバー部材５の挿入空隙部３３に設けられたシール部材３４と密着する。これにより、カバー部材５とフード部３７との間から雄コネクタ１と雌コネクタ３６との嵌合部に侵入する水分等、及び挿入空隙部３３から雄コネクタ１と雌コネクタ３６との嵌合部に侵入する水分等が遮断され、信頼性の高い水密構造となる。
【００４７】
なお、雄コネクタ１を雌コネクタ３６に取り付けた一例を図７に示す。図７は、例えば自動車のエンジンルーム内に固定される機器本体４４に複数の雌コネクタ３６（図示は省略する）が設けられ、その雌コネクタ３６にそれぞれの雄コネクタ１を装着させた状態を示す。
【００４８】
以上のように構成された本実施形態の雄コネクタ１においては、カバー部材５の挿入脚部１４を挿入させる空隙部１２をコネクタハウジング２に設けると共に、その空隙部１２に位置ずれ吸収防水部材４を配置し、上記コネクタハウジング２の端子収容本体部６を雌コネクタ３６のフード部３７に嵌合させたときに、該コネクタハウジング２と該カバー部材５とが相対的に可動自在となる位置ずれ吸収間隙１９を、上記挿入脚部１４と上記外周壁部７との間に設けているため、例えコネクタハウジング２とフード部３７との間に位置ずれが生じていたとしても、該コネクタハウジング２と該カバー部材５とが相対的に可動して前記位置ずれを吸収し、上記雌コネクタ３６とスムーズな嵌合がなされる。
【００４９】
また、本実施形態の雄コネクタ１においては、上記位置ずれ吸収防水部材４が、底部８に配置される底面シール部１３を有していることから、コネクタ同士の位置ずれを吸収させる機能の他、空隙部１２に侵入する水分等を遮断する。また、位置ずれ吸収防水部材４は、雄コネクタ１のフード部先端部と密接する側面シール部１５を有しているので、雌コネクタ３６に嵌合する端子収容本体部６とフード部３７間より侵入する水分等を遮断する。
【００５０】
また、本実施形態の雄コネクタ１においては、位置ずれ吸収防水部材４は、底部８に形成された貫通孔１７に、底面シール部１３に設けた取付用突起部１８を挿入させていることから、上記底部８に確実に位置決めされ、上記空隙部１２から不用意に抜け出ることが防止される。
【００５１】
また、本実施形態の雄コネクタ１においては、カバー部材５の収容部３０に挿入空隙部３３を形成し、その挿入空隙部３３に、シール部材３４を配置させると共に機器本体に固定された雌コネクタ３６をその内部に収容する前面開口された機器フード部３５を嵌入させて、上記シール部材３４によって上記カバー部材５と上記機器フード部３５とをシールしているので、これらの間の気密状態が高まり、カバー部材５からその内部に侵入する水分等が遮断される。
【００５２】
＜その他の実施形態＞
以上、本発明を適用した具体的な一実施形態について説明したが、本発明は、上述の実施形態に制限されることなく種々の変更が可能である。
【００５３】
例えば、上述の実施形態における雄コネクタ１は、９９本の雌端子３をコネクタハウジング２に所定間隔を置いて縦横に配列させたが、図８ないし図１０に示すように、１０本の雌端子３をコネクタハウジング２に横一列に配列させるように構成しても同様の作用効果がある。この１０本の雌端子３をコネクタハウジング２に配列した雄コネクタ１の構成は、先の実施形態の雄コネクタ１と同様であり、その構成説明は重複するため割愛する。
【００５４】
この他、上述の実施形態では、位置ずれ吸収間隙１９を、上記挿入脚部１４と上記外周壁部７との間に設けたが、挿入脚部１４と端子収容本体部６との間に設けるようにしても同様の作用効果がある。かかる場合には、位置ずれ吸収防水部材４の側面シール部１５の形成位置を変えて、上記外周壁部７の内壁面に密着させる位置に側面シール部１５を形成する。
【００５５】
また、図１１に示すように、カバー部材５の挿入空隙部３３にシール部材３４を設ける代わりに、機器フード部先端近傍にシール部材３４を設けるようにしてもよい。すなわち、機器フード部３５の先端近傍であって、上記カバー部材５の外周壁面部３１と対向する外側面３５ａにシール部材３４を設ける。かかるシール部材３４は、例えば断面円弧状をなす突起として形成され、上記機器フード部３５が上記挿入空隙部３３に挿入されたときに、上記外周壁面部３１の内面に密着してカバー部材５と機器フード部３５とをシールする。
【００５６】
このように、機器フード部３５先端近傍に設けられたシール部材３４で上記カバー部材５と上記機器フード部３５とをシールしたことにより、これらの間の気密状態が高まり、上記カバー部材５からその内部に侵入する水分等が遮断される。
【００５７】
また、上述の実施形態では、カバー部材５に一つのコネクタハウジング２しか取り付けなかったが、その形状をより大きくしたカバー部材５に複数のコネクタハウジング２を上述した構成のように取り付けるようにしてもよい。もちろん、その場合は、コネクタハウジング２の数に応じて挿入脚部１４及び収容部３０をカバー部材５に形成する。
【００５８】
このように、一つのカバー部材５に複数個のコネクタハウジング２を上述したように可動自在に取り付ければ、相手コネクタに対して一度の装着作業で、それぞれのコネクタの調芯機構によって嵌合され、コネクタ装着作業を簡便なものとすることができる。
【００５９】
【発明の効果】
本発明は、以上説明したような形態で実施され、以下に記載されるような効果を奏する。
【００６０】
請求項１記載のコネクタによれば、カバー部材の挿入脚部を挿入させる空隙部をコネクタハウジングに設けると共に、その空隙部に位置ずれ吸収防水部材を配置し、前記コネクタハウジングの端子収容本体部を相手コネクタに嵌合させたときに、該コネクタハウジングと前記カバー部材とが相対的に可動自在となる位置ずれ吸収間隙を、前記挿入脚部と前記外周壁部又は前記端子収容本体部との間に設けているため、例えコネクタハウジングと相手コネクタとの間に位置ずれが生じていたとしても、コネクタハウジングとカバー部材とが相対的に可動して前記位置ずれを吸収し、相手コネクタとスムーズな嵌合を図ることができる。
また、本発明のコネクタによれば、カバー部材の収容部に挿入空隙部を形成し、その挿入空隙部に、シール部材を配置させると共に機器本体に固定された相手コネクタをその内部に収容する前面開口された機器フード部を嵌入させて、前記シール部材によってカバー部材と機器フード部とをシールしているので、これらの間の気密状態が高まり、カバー部材からその内部に侵入する水分等を遮断できる。
【００６１】
請求項２記載のコネクタによれば、位置ずれ吸収防水部材は、底部に配置される底面シール部を有していることから、コネクタ同士の位置ずれを吸収させる機能の他、空隙部に侵入する水分等を遮断することができる。また、位置ずれ吸収防水部材は、相手コネクタの先端部と密接する側面シール部を有しているので、相手コネクタに嵌合する端子収容本体部と当該相手コネクタ間より侵入する水分等を遮断することができる。
【００６２】
請求項３記載のコネクタによれば、位置ずれ吸収防水部材は、底部に形成された貫通孔に、底面シール部に設けた取付用突起部を挿入させていることから、前記底部に確実に位置決めされ、該位置ずれ吸収防水部材を空隙部から不用意に抜け出るのを防止することができる。
【００６４】
請求項４記載のコネクタによれば、機器フード部先端近傍に設けられたシール部材でカバー部材と機器フード部とをシールしたことにより、これらの間の気密状態が高まり、上記カバー部材からその内部に侵入する水分等を遮断することができる。
【００６５】
請求項５記載のコネクタによれば、カバー部材に複数のコネクタハウジングが設けられていても、それぞれのコネクタハウジングが前記カバー部材に対して可動自在であるので、請求項１記載の発明と同様、コネクタハウジングとカバー部材とが相対的に可動して前記位置ずれを吸収し、相手コネクタとスムーズな嵌合を実現できる。
【図面の簡単な説明】
【図１】コネクタの分解斜視図である。
【図２】コネクタハウジング、ラバーシール及び位置ずれ吸収防水部材の斜視図である。
【図３】スペーサ、雌端子及び隔壁板の斜視図である。
【図４】コネクタを分解した断面図である。
【図５】雄コネクタと雌コネクタの断面図である。
【図６】雄コネクタと雌コネクタの嵌合状態を示す断面図である。
【図７】機器本体に複数個の雄コネクタを取り付けた例を示す斜視図である。
【図８】他のコネクタの分解斜視図である。
【図９】他のコネクタのコネクタハウジング、ラバーシール及び位置ずれ吸収防水部材の斜視図である。
【図１０】他のコネクタのスペーサ、雌端子及び隔壁板の斜視図である。
【図１１】機器フード部先端近傍にシール部材を形成した例を示すもので、雄コネクタと雌コネクタの嵌合状態を示す断面図である。
【図１２】一本のボルトで複数の雄コネクタと雌コネクタを一括して嵌合させるように構成された従来の電気コネクタユニットの分解斜視図である。
【図１３】図１２に示す電気コネクタユニットの拡大断面図である。
【符号の説明】
１  コネクタ
２  コネクタハウジング
３  雌端子（端子）
４  位置ずれ吸収防水部材
５  カバー部材
６  端子収容本体部
７  外周壁部
８  底部
１２  空隙部
１４  挿入脚部
１５  側面シール部
１６  突起部
１８  取付用突起部
１９  位置ずれ吸収間隙
３０  収容部
３１  外周壁面部
３２  内周壁面部
３３  挿入空隙部
３５  機器フード部
３６  雌コネクタ（相手コネクタ）
【図１】
0003717711.tif 000002
【図２】
0003717711.tif 000003
【図３】
0003717711.tif 000004
【図４】
0003717711.tif 000005
【図５】
0003717711.tif 000006
【図６】
0003717711.tif 000007
【図７】
0003717711.tif 000008
【図８】
0003717711.tif 000009
【図９】
0003717711.tif 000010
【図１０】
0003717711.tif 000011
【図１１】
0003717711.tif 000012
【図１２】
0003717711.tif 000013
【図１３】
0003717711.tif 000014